(57)【要約】【課題】ヒータと放熱板との接触状態を適正に確保する。【解決手段】板状に形成されるフィルタと、フィルタの一部に対向して配置される放熱板と、放熱板を加熱することにより放熱板を介してフィルタの一部を加熱するヒータと、放熱板に対してフィルタを移動させる駆動部と、放熱板を覆って加熱空間を形成するケースと、を備える。ケースには、放熱板を支持する支持部が形成されている。【選択図】図１１
2018140370.tif 000002
【特許請求の範囲】
【請求項１】
板状に形成されるフィルタと、
前記フィルタの一部に対向して配置される放熱板と、
前記放熱板を加熱することにより前記放熱板を介して前記フィルタの一部を加熱するヒータと、
前記放熱板に対して前記フィルタを移動させる駆動部と、
前記放熱板を覆って加熱空間を形成するケースと、を備え、
前記ケースには、前記放熱板を支持する支持部が形成されている、
吸着ユニット。
【請求項２】
前記支持部は、前記放熱板の外周部を支持するリブを有し、前記リブが、前記ケースの内側から、前記支持部に支持される前記放熱板の厚み方向に突出して形成されている、
請求項１に記載の吸着ユニット。
【請求項３】
前記放熱板は、対向して配置される一組の第１板と第２板を有し、
前記リブの、前記第１板及び前記第２板の厚み方向に対する高さをＬ、前記第１板の厚みをＰ１、前記第２板の厚みをＰ２、前記第１板と前記第２板との間に挟まれた前記ヒータの、前記厚み方向に対する高さをＨとしたとき、前記リブの高さＬは、
Ｐ１＋Ｈ＜Ｌ  又は  Ｐ２＋Ｈ＜Ｌ
を満たす、
請求項２に記載の吸着ユニット。
【請求項４】
前記リブは、前記放熱板の面内方向における第１方向に対する前記放熱板の移動を規制する第１リブと、前記放熱板の面内方向における前記第１方向と直交する第２方向に対する前記放熱板の移動を規制する第２リブと、を含む、
請求項２または３に記載の吸着ユニット。
【請求項５】
前記支持部の前記リブは、前記放熱板の厚み方向において、前記放熱板と前記ケースの内面との間に空間をあけた状態で前記放熱板を支持する支持面を有する、請求項２ないし４のいずれか１項に記載の吸着ユニット。
【請求項６】
前記ケースは、組み合わされる一対の第１ケース部材と第２ケース部材を有し、
前記第１ケース部材と前記第２ケース部材は、結合部によって結合され、
前記支持部は、前記結合部の近傍に形成されている、
請求項１ないし５のいずれか１項に記載の吸着ユニット。
【請求項７】
請求項１ないし請求項６のいずれか１項に記載の吸着ユニットを備え、
前記フィルタは、空気が通過することにより前記空気に含有される臭気成分を吸着し、加熱されることにより前記臭気成分を分解する、
空気清浄機。
【発明の詳細な説明】
【技術分野】
【０００１】
本発明は、吸着ユニット及び空気清浄機に関する。
【背景技術】
【０００２】
従来、室内の空気を脱臭フィルタに通過させることにより、空気に含まれる臭気成分を脱臭フィルタに吸着させ、脱臭フィルタを加熱することにより、脱臭フィルタの脱臭能力を再生させる空気清浄機が知られている。このような空気清浄機のなかには、脱臭フィルタが回転可能に設けられるとともに、脱臭フィルタの一部を、一組の放熱板の間で加熱する加熱部を備える空気清浄機が知られている。
【先行技術文献】
【特許文献】
【０００３】
【特許文献１】特開２０１６−４３１０５号公報
【特許文献２】特開平１０−２７７３６５号公報
【発明の概要】
【発明が解決しようとする課題】
【０００４】
ところで、上述のような空気清浄機では、脱臭フィルタを効率的に加熱する観点から、ヒータを一組の放熱板の間に挟んで配置する構成が提案されている。この構成によれば、ヒータによって各放熱板が効率的に加熱されるので、各放熱板によって脱臭フィルタの両面をそれぞれ均一に加熱することが可能になる。
【０００５】
しかしながら、この構成では、加熱部の組み付け状態のバラツキ等により、放熱板とヒータとが離れて、放熱板とヒータとの間に隙間が生じた場合、隙間が僅かであっても、ヒータによる放熱板の加熱温度が低下し、脱臭フィルタを加熱する効率が低下するにより、脱臭フィルタを再生する効率の低下を招く。
【０００６】
開示の技術は、上記に鑑みてなされたものであって、ヒータと放熱板との接触状態を適正に確保することができる吸着ユニットおよび空気清浄機を提供することを目的とする。
【課題を解決するための手段】
【０００７】
本願の開示する吸着ユニットの一態様は、板状に形成されるフィルタと、前記フィルタの一部に対向して配置される放熱板と、前記放熱板を加熱することにより前記放熱板を介して前記フィルタの一部を加熱するヒータと、前記放熱板に対して前記フィルタを移動させる駆動部と、前記放熱板を覆って加熱空間を形成するケースと、を備える。前記ケースには、前記放熱板を支持する支持部が形成されている。
【発明の効果】
【０００８】
本願の開示する吸着ユニットの一態様によれば、ヒータと放熱板との接触状態を適正に確保することができる。
【図面の簡単な説明】
【０００９】
【図１】図１は、実施例の空気清浄機の外観を示す斜視図である。
【図２】図２は、実施例の空気清浄機を示す平面図である。
【図３】図３は、実施例の空気清浄機を示す図１におけるＡ−Ａ断面図である。
【図４】図４は、実施例の空気清浄機を示す図１におけるＢ−Ｂ断面図である。
【図５】図５は、実施例の脱臭ユニットを示す斜視図である。
【図６】図６は、実施例の脱臭ユニットを示す分解斜視図である。
【図７】図７は、実施例の脱臭ユニットの脱臭フィルタ部を示す斜視図である。
【図８】図８は、実施例の脱臭ユニットのフィルタ再生部を示す図６におけるＣ−Ｃ断面図である。
【図９】図９は、実施例の脱臭ユニットのフィルタ再生部を示す分解斜視図である。
【図１０】図１０は、実施例におけるフィルタ再生部の前面側ケース部材を内側から示す斜視図である。
【図１１】図１１は、実施例におけるフィルタ再生部の背面側ケース部材を内側から示す斜視図である。
【図１２】図１２は、実施例における背面側ケース部材の第１支持部及び第２支持部を説明するための側面図である。
【図１３】図１３は、実施例における背面側ケース部材に背面側放熱板を取り付けた状態を示す斜視図である。
【図１４】図１４は、実施例における背面側ケース部材に背面側放熱板及びＰＴＣヒータを取り付けた状態を示す斜視図である。
【発明を実施するための形態】
【００１０】
以下に、本願の開示する吸着ユニット及び空気清浄機の実施例を図面に基づいて詳細に説明する。なお、以下の実施例によって、本願の開示する吸着ユニット及び空気清浄機が限定されるものではない。
【実施例】
【００１１】
［空気清浄機の構成］
図１は、実施例の空気清浄機の外観を示す斜視図である。一実施例である空気清浄機１は、図１に示すように、本体筐体１１と、前面パネル１２と、フロントパネル１３と、リアパネル１４と、を備えている。本体筐体１１は、合成樹脂材で形成され、略直方体状に形成されている。本体筐体１１は、天面パネル１１ａ、右側面パネル１１ｂ、左側面パネル１１ｃ及び底部１１ｄを備えている。底部１１ｄは、本体筐体１１の下部を形成しており、空気清浄機１が設置される設置面に載置される。右側面パネル１１ｂと左側面パネル１１ｃは、対向するように配置されることにより本体筐体１１の側面を形成し、それぞれの下端が底部１１ｄに接合されている。天面パネル１１ａは、本体筐体１１の上部を形成しており、右側面パネル１１ｂの上端と左側面パネル１１ｃの上端とに接合されている。前面パネル１２は、本体筐体１１の前面に配置されている。フロントパネル１３は、前面パネル１２の前方に配置されている。
【００１２】
フロントパネル１３と前面パネル１２との間には、上面吸込口１３ａ、右側面吸込口１３ｂ、左側面吸込口１３ｃ及び下側吸込口１３ｄが形成されている。上面吸込口１３ａは、フロントパネル１３の上側に配置されている。右側面吸込口１３ｂは、フロントパネル１３の右側面パネル１１ｂの側に配置されている。左側面吸込口１３ｃは、フロントパネル１３の左側面パネル１１ｃの側に配置されている。下側吸込口１３ｄは、フロントパネル１３の底部１１ｄの側に配置されている。
【００１３】
空気清浄機１は、操作部１５をさらに備えている。操作部１５は、上面吸込口１３ａの一部を覆うように、空気清浄機１の上面に配置されている。操作部１５は、ボタン及び表示部を有する。ボタンは、電源ボタンや運転モード切り換えボタン等を含み、空気清浄機１を操作するときに用いられる。表示部は、空気清浄機１の運転状態や図示しない塵埃センサ等の検出器の検出結果を表示する。
【００１４】
図２は、実施例の空気清浄機を示す平面図である。リアパネル１４は、合成樹脂材で形成され、図２に示すように、前面パネル１２が配置される前面の反対側の背面に配置されている。本体筐体１１とリアパネル１４との間には、上面吹出口１４ａと右側面吹出口１４ｂと左側面吹出口１４ｃとが形成されている。上面吹出口１４ａは、リアパネル１４の天面パネル１１ａの側に配置されている。右側面吹出口１４ｂは、リアパネル１４の右側面パネル１１ｂの側に配置されている。左側面吹出口１４ｃは、リアパネル１４の左側面パネル１１ｃの側に配置されている。
【００１５】
空気清浄機１は、上面吸込口１３ａ、右側面吸込口１３ｂ、左側面吸込口１３ｃ及び下側吸込口１３ｄのそれぞれから本体筐体１１に吸い込んだ空気を、上面吹出口１４ａ、右側面吹出口１４ｂ及び左側面吹出口１４ｃのそれぞれから吹き出すまでに、空気の除塵処理、加湿処理及び脱臭処理を行う。
【００１６】
なお、図１以降において、空気清浄機１の前後方向（奥行方向）をＸ方向、空気清浄機１の幅方向をＹ方向、空気清浄機１の高さ方向をＺ方向として示す。また、以下の説明では、本体筐体１１の前面パネル１２が配置される側を「前面側」とし、本体筐体１１のリアパネル１４が配置される側を「背面側」とする。
【００１７】
図３は、実施例の空気清浄機を示す図１におけるＡ−Ａ断面図である。本体筐体１１は、図３に示すように、内部に通風路１０が形成されている。通風路１０は、上面吸込口１３ａと右側面吸込口１３ｂと左側面吸込口１３ｃと下側吸込口１３ｄとを、上面吹出口１４ａと右側面吹出口１４ｂと左側面吹出口１４ｃとに連通している。
【００１８】
空気清浄機１は、さらに、プレフィルタ２１、集塵ユニット２２、吸着ユニットとしての脱臭ユニット２３、加湿ユニット２４及び送風機２５を備えている。プレフィルタ２１、集塵ユニット２２、脱臭ユニット２３、加湿ユニット２４及び送風機２５は、本体筐体１１の内部の通風路１０に配置されている。
【００１９】
プレフィルタ２１は、例えば、糸状のＰＥＴ（ポリエチレンテレフタラート）材が編み込まれた網目構造体として形成されている。プレフィルタ２１は、通風路１０の前面側に配置されている。プレフィルタ２１は、上面吸込口１３ａ、右側面吸込口１３ｂ、左側面吸込口１３ｃ及び下側吸込口１３ｄから本体筐体１１の内部の通風路１０にそれぞれ吸い込まれる空気に含まれる塵埃を捕集する。
【００２０】
集塵ユニット２２は、通風路１０のうちのプレフィルタ２１の背面側に配置されている。本体筐体１１は、さらに、仕切板１６を備えている。仕切板１６は、フロントパネル１３の背面側に配置されており、本体筐体１１の一部を形成している。集塵ユニット２２は、第１電気集塵機２２ａ及び第２電気集塵機２２ｂを有する。第１電気集塵機２２ａ及び第２電気集塵機２２ｂは、上下方向に並べられ、仕切板１６に支持されている。第１電気集塵機２２ａ及び第２電気集塵機２２ｂは、それぞれ、図示しない筐体、放電電極及び集塵電極を有する。筐体の内部には、放電電極と集塵電極が支持されている。放電電極は、プレフィルタ２１で捕集されなかった細かな塵埃や花粉等をコロナ放電により帯電させる。集塵電極は、放電電極により帯電された塵埃や花粉等を捕集する。集塵ユニット２２は、第１電気集塵機２２ａと第２電気集塵機２２ｂとが、放電電極及び集塵電極、筐体とで形成されていることにより、例えば不織布をプリーツ形状に形成してなる他の集塵フィルタに比べて、空気抵抗が小さい。
【００２１】
脱臭ユニット２３は、通風路１０のうちのプレフィルタ２１の背面側に配置されている。加湿ユニット２４は、通風路１０のうちの脱臭ユニット２３の背面側に配置されている。加湿ユニット２４は、加湿フィルタ２４ａ及び貯水タンク２４ｂを有する。貯水タンク２４ｂには、水が貯留される。加湿フィルタ２４ａは、円板形状に形成されており、貯水タンク２４ｂに溜められた水に、加湿フィルタ２４ａの一部が浸るように配置されている。加湿フィルタ２４ａは、さらに、貯水タンク２４ｂに溜められた水に浸る部分が移動するように、回転軸により回転可能に支持されており、図示しないモータにより回転される。加湿ユニット２４は、貯水タンク２４ｂに溜められた水により湿らされた加湿フィルタ２４ａに空気を通すことにより、通風路１０を流れる空気を加湿する。
【００２２】
なお、加湿ユニット２４は、上記の構成に限らず、例えば、貯水タンク２４ｂに溜められた水を加湿フィルタ２４ａの外周側に形成した複数の桶で汲み上げて加湿フィルタ２４ａを湿潤させるようにしてもよい。この場合は加湿フィルタ２４ａは貯水タンク２４ｂに溜められた水に浸からないようにしてもよい。また、加湿フィルタ２４ａは回転しないようにしてもよい。この場合は、貯水タンク２４ｂに溜められた水を毛細管現象により吸い上げる他の加湿フィルタに置換されてもよい。
【００２３】
送風機２５は、通風路１０のうちの加湿ユニット２４の背面側に配置されている。送風機２５は、ターボファン２５ａ及びファンモータ２５ｂを有する。ファンモータ２５ｂは、回転数可変であり、ターボファン２５ａを回転させる。ターボファン２５ａは、合成樹脂材によって形成されており、ファンモータ２５ｂの出力軸に接続されている。ターボファン２５ａは、回転することにより、上面吸込口１３ａ、右側面吸込口１３ｂ、左側面吸込口１３ｃ及び下側吸込口１３ｄから、上面吹出口１４ａ、右側面吹出口１４ｂ及び左側面吹出口１４ｃに向かって空気を流す。すなわち、送風機２５は、上面吸込口１３ａ、右側面吸込口１３ｂ、左側面吸込口１３ｃ及び下側吸込口１３ｄから、空気清浄機１の内部へ空気を取り込み、通風路１０に沿って空気を通過させる。送風機２５は、さらに、上面吹出口１４ａ、右側面吹出口１４ｂ及び左側面吹出口１４ｃを介して、通風路１０を通過した空気を空気清浄機１の外部に放出する。
【００２４】
送風機２５は、ファンモータ２５ｂの中心の高さＤが、集塵ユニット２２の第１電気集塵機２２ａと第２電気集塵機２２ｂとの間の空間の高さと一致するように配置されている。ファンモータ２５ｂの中心付近は、ターボファン２５ａの回転による空気の流れが少ないので、通風路１０におけるファンモータ２５ｂの中心付近の空間での空気の流れが少ない。集塵ユニット２２は、第１電気集塵機２２ａと第２電気集塵機２２ｂとの間を空気が通過しない。このため、集塵ユニット２２は、空気の流れが多い空間に第１電気集塵機２２ａ及び第２電気集塵機２２ｂが配置されることにより、除塵を高効率に行うことができる。
【００２５】
図４は、実施例の空気清浄機を示す図１におけるＢ−Ｂ断面図である。プレフィルタ２１は、図４に示すように、中央が前面側に向かって凸となるアーチ形状に形成されている。このため、プレフィルタ２１は、プレフィルタ２１を平坦状に形成する場合と比べて、上面吸込口１３ａ、右側面吸込口１３ｂ、左側面吸込口１３ｃ及び下側吸込口１３ｄから、本体筐体１１の内部にそれぞれ吸い込まれた空気がプレフィルタ２１を通過する面積が大きい。これにより、プレフィルタ２１は、上面吸込口１３ａ、右側面吸込口１３ｂ、左側面吸込口１３ｃ及び下側吸込口１３ｄから、本体筐体１１の内部に吸い込まれた空気から、より一層多くの塵埃を捕集することが可能とされている。
【００２６】
［脱臭ユニットの構成］
図５は、実施例の脱臭ユニットを示す斜視図である。実施例の吸着ユニットとしての脱臭ユニット２３は、図５に示すように、脱臭フィルタ部２３ａと、フィルタ再生部２３ｆと、保持部２３ｇとを有する。脱臭フィルタ部２３ａは、円板状に形成されている。フィルタ再生部２３ｆは、略三角柱形状に形成されており、脱臭フィルタ部２３ａの周方向における一部の両面を覆っている。保持部２３ｇは、本体筐体１１に固定されており、脱臭フィルタ部２３ａ及びフィルタ再生部２３ｆを支持している。
【００２７】
図６は、実施例の脱臭ユニット２３を示す分解斜視図である。保持部２３ｇは、図６に示すように、合成樹脂材によって略四角形状に形成されており、脱臭フィルタ部２３ａの形状に応じた円形状の開口部２３ｇｄが中央に形成されている。さらに、保持部２３ｇは、開口部２３ｇｄの上方（保持部２３ｇを通風路１０に配置したときに上側となる箇所。以下、「上方」と記載）には、フィルタ再生部２３ｆの形状に応じた凹形状の再生部収納部２３ｇｅが形成されている。
【００２８】
さらに、脱臭ユニット２３は、２個のローラ２３ｍ、回転検出用歯車２３ｋ、回転検出部２３ｒ、駆動部２３ｈ、駆動歯車２３ｊ及び４枚の押さえ部材２３ｚを有する。２個のローラ２３ｍの各々は、合成樹脂材によって形成されており、筒部２３ｍｂ、上フランジ２３ｍｃ及び下フランジ２３ｍｄを有する。筒部２３ｍｂは、孔２３ｍａを有する円筒形状に形成されている。上フランジ２３ｍｃ及び下フランジ２３ｍｄは、各々筒部２３ｍｂよりも直径が大きい円板形状に形成されており、筒部２３ｍｂの両端から外周側へ張り出している。保持部２３ｇには、２本の第１軸２３ｇａが形成されている。２本の第１軸２３ｇａは、保持部２３ｇの下方（保持部２３ｇを通風路１０に配置したときに下側となる箇所。以下、「下方」と記載）の両隅に配置されている。２本の第１軸２３ｇａは、それぞれ、２個のローラ２３ｍの孔２３ｍａに挿入されることにより、２個のローラ２３ｍを回転自在に支持している。
【００２９】
回転検出用歯車２３ｋは、合成樹脂材によって形成されている。保持部２３ｇには、さらに、第２軸２３ｇｂが形成されている。第２軸２３ｇｂは、再生部収納部２３ｇｅの左側（脱臭フィルタ部２３ａを前面側から見たときの左側）に配置されている。第２軸２３ｇｂは、回転検出用歯車２３ｋが挿入されることにより、回転検出用歯車２３ｋを回動自在に支持している。回転検出部２３ｒは、回転検出用歯車２３ｋの回転を検出する。回転検出部２３ｒとしては、例えば、フォトインタラプタが用いられている。フォトインタラプタは、発光部及び受光部を有しており、発光部と受光部が、検知対象を挟んで互いに対向して配置されている。フォトインタラプタは、発光部から発光された光を受光部で検出することにより、検知対象の有無や位置を検出することが可能になる。
【００３０】
駆動歯車２３ｊは、合成樹脂材で形成されている。駆動部２３ｈは、例えばステッピングモータを有しており、ステッピングモータの出力軸に駆動歯車２３ｊが取り付けられている。保持部２３ｇには、さらに、駆動部固定部２３ｇｃが形成されている。駆動部固定部２３ｇｃは、再生部収納部２３ｇｅの右側（脱臭フィルタ部２３ａを前面側から見たときの右側）に配置されて、駆動部２３ｈを支持している。駆動部２３ｈは、駆動歯車２３ｊを回転させる。
【００３１】
４枚の押さえ部材２３ｚは、合成樹脂材によって、略五角形状の板材として形成されており、保持部２３ｇに嵌め込み可能な形状に形成されている。押さえ部材２３ｚは、２個のローラ２３ｍ、回転検出用歯車２３ｋ、駆動部２３ｈ及び駆動歯車２３ｊが保持部２３ｇに装着された後に、保持部２３ｇに嵌め込まれる。押さえ部材２３ｚは、保持部２３ｇに嵌め込まれることにより、２個のローラ２３ｍと回転検出用歯車２３ｋと駆動部２３ｈと駆動歯車２３ｊとを押さえて、保持部２３ｇから外れないように支持している。
【００３２】
図７は、実施例の脱臭ユニットの脱臭フィルタ部２３ａを示す斜視図である。脱臭フィルタ部２３ａは、図７に示すように、脱臭フィルタ２３ａａ、外周部フィルタカバー２３ａｃ及び内周部フィルタカバー２３ａｅを有する。
【００３３】
脱臭フィルタ２３ａａは、円板状に形成されており、中央に貫通孔２３ａａが形成されている。脱臭フィルタ２３ａａは、脱臭フィルタ２３ａａの厚さ方向に空気が通過するように形成されている。脱臭フィルタ２３ａａは、通過する空気から臭気成分を吸着し、後述するＰＴＣヒータ２３ｂによって加熱されることで、吸着された臭気成分を分解する。例えば、脱臭フィルタ２３ａａは、図示しない基材と、基材に形成された触媒層とを有する。基材は、アルミニウム等の板材によって形成されており、ハニカム構造に例示される多孔構造に形成されている。触媒層は、触媒によって形成されており、基材の表面を被覆している。触媒は、触媒層の近傍を流れる空気から臭気成分を吸着し、加熱されることにより、吸着された臭気成分を分解する。脱臭フィルタ２３ａａは、多孔構造に形成されていること、及び、フィルタ再生部２３ｆが脱臭フィルタ２３ａａの一部のみを覆い大部分を覆っていないことにより、空気抵抗が小さい。
【００３４】
外周部フィルタカバー２３ａｃは、概ね円環状に形成されており、脱臭フィルタ２３ａａの外周部に沿って配置されている。外周部フィルタカバー２３ａｃは、脱臭フィルタ２３ａａの外周縁部を覆って外周部の端面を保護している。内周部フィルタカバー２３ａｅは、概ね円環状に形成され、脱臭フィルタ２３ａａの貫通孔２３ａａｏの内部に配置されており、脱臭フィルタ２３ａａにおける内周縁部を覆って脱臭フィルタ２３ａａの内周部の端面を保護している。内周部フィルタカバー２３ａｅには、貫通孔２３ａｄが形成されている。
【００３５】
［フィルタ再生部の構成］
図８は、実施例の脱臭ユニット２３のフィルタ再生部２３ｆを示す図６におけるＣ−Ｃ断面を示している。フィルタ再生部２３ｆは、図８に示すように、ケース２３ｅと、放熱板２３ｃと、ＰＴＣ（Ｐｏｓｉｔｉｖｅ  Ｔｅｍｐｅｒａｔｕｒｅ  Ｃｏｅｆｆｉｃｉｅｎｔ）ヒータ２３ｂと、を有する。ケース２３ｅは、略三角柱形状の箱状に形成されている。ケース２３ｅは、脱臭フィルタ部２３ａの周方向の一部を覆っている。ケース２３ｅは、組み合わされる一対の、第１ケース部材としての前面側ケース部材２３ｅａと、第２ケース部材としての背面側ケース部材２３ｅｂと、を有する。前面側ケース部材２３ｅａは、ケース２３ｅの前面側の部分を形成している。背面側ケース部材２３ｅｂは、ケース２３ｅの背面側の部分を形成している。前面側ケース部材２３ｅａと背面側ケース部材２３ｅｂで構成されたケース２３ｅの内部には空間（内部空間）が形成される。
【００３６】
放熱板２３ｃは、対向して配置される一組の第１板と第２板としての一組の前面側放熱板２３ｃａと背面側放熱板２３ｃｂを有する。第２板としての前面側放熱板２３ｃａは、ケース２３ｅの内部に支持されている。前面側放熱板２３ｃａは、脱臭フィルタ部２３ａの周方向における一部に対向する。脱臭フィルタ部２３ａは、前面側放熱板２３ｃａによって脱臭フィルタ部２３ａの一部が前面側から覆われている。同様に、第１板としての背面側放熱板２３ｃｂは、ケース２３ｅの内部に支持されている。背面側放熱板２３ｃｂは、脱臭フィルタ部２３ａの周方向における一部に対向する。脱臭フィルタ部２３ａは、背面側放熱板２３ｃｂによって脱臭フィルタ部２３ａの一部が背面側から覆われている。
【００３７】
ＰＴＣヒータ２３ｂは、通電されることにより発熱し、温度上昇に伴って抵抗値が増加する性質を有しており、この性質を利用して発熱量を自己制御する。ＰＴＣヒータ２３ｂは、直方体状に形成されており、ケース２３ｅの内部に設けられている。ＰＴＣヒータ２３ｂは、脱臭フィルタ部２３ａの外周側に配置されており、前面側放熱板２３ｃａと背面側放熱板２３ｃｂとの間に挟まれて支持されている。ＰＴＣヒータ２３ｂは、後述する背面側放熱板２３ｃｂの位置決め突起２３ｃｆ（図９）に突き当てられる。また、ＰＴＣヒータ２３ｂは、背面側ケース部材２３ｅｂの第１支持部２３ｓ１の第１リブ２３ｓａの規制面２３ｓａｂ（図１１）に突き当てられる。これにより、ＰＴＣヒータ２３ｂはＺ方向の両側への移動が規制されている。
【００３８】
図９は、実施例の脱臭ユニットのフィルタ再生部２３ｆを示す分解斜視図である。前面側放熱板２３ｃａ及び背面側放熱板２３ｃｂは、例えば、アルミニウム材またはアルミ合金材等の熱伝導性が良好な材料によって形成されている。前面側放熱板２３ｃａは、図９に示すように、脱臭フィルタ部２３ａの前面側に配置されている。前面側放熱板２３ｃａの外形は、脱臭フィルタ部２３ａの貫通孔２３ａｄから脱臭フィルタ部２３ａの外周側に向かうにつれて左右方向（脱臭フィルタ部２３ａの周方向）に対する幅寸法が大きくなる略三角形状に形成されている。前面側放熱板２３ｃａは、フィルタ対向面２３ｃａａとカバー対向面２３ｃａｂを有する。フィルタ対向面２３ｃａａは、前面側放熱板２３ｃａの一方の面であり、カバー対向面２３ｃａｂは、前面側放熱板２３ｃａの他方の面である。前面側放熱板２３ｃａの内周側端部には、脱臭フィルタ部２３ａの貫通孔２３ａｄと対応する貫通孔２３ｃａｇが形成されている。貫通孔２３ｃａｇには、後述する背面側ケース部材２３ｅｂの軸部２３ｘａが挿通される。
【００３９】
背面側放熱板２３ｃｂは、脱臭フィルタ部２３ａの背面側に対向して配置されている。背面側放熱板２３ｃｂの外形は、脱臭フィルタ部２３ａの貫通孔２３ａｄから外周側に向かうにつれて左右方向（脱臭フィルタ部２３ａの周方向）に対する幅寸法が大きくなる略三角形状に形成されている。背面側放熱板２３ｃｂは、フィルタ対向面２３ｃｃａとカバー対向面２３ｃｃｂを有する。フィルタ対向面２３ｃｃａは、背面側放熱板２３ｃｂの一方の面であり、カバー対向面２３ｃｃｂは、フィルタ対向面２３ｃｃａの他方の面である。
【００４０】
図８及び図９に示すように、背面側放熱板２３ｃｂのフィルタ対向面２３ｃｃａには、ＰＴＣヒータ２３ｂを位置決めする位置決め突起２３ｃｆが設けられており、位置決め突起２３ｃｆがＰＴＣヒータ２３ｂの外周面（Ｚ方向の一方側の外周面（脱臭フィルタ部２３ａの内周側の外周面））に当たることで、Ｚ方向の一方側（脱臭フィルタ部２３ａの内周側）に対するＰＴＣヒータ２３ｂの位置が規制されている。また、背面側放熱板２３ｃｂと同様に、前面側放熱板２３ｃａのフィルタ対向面２３ｃｃａにも、ＰＴＣヒータ２３ｂを位置決めする位置決め突起２３ｃｇが設けられている（図８参照）。背面側放熱板２３ｃｂの内周側端部には、後述する背面側ケース部材２３ｅｂの軸部２３ｘａが挿通される貫通孔２３ｃｂｇが形成されている。
【００４１】
ＰＴＣヒータ２３ｂは、前面側放熱板２３ｃａのフィルタ対向面２３ｃａａ及び背面側放熱板２３ｃｂのフィルタ対向面２３ｃａａにおける脱臭フィルタ部２３ａの外周側の側縁部に、前面側放熱板２３ｃａと背面側放熱板２３ｃｂとの間に挟まれて支持されている。前面側放熱板２３ｃａは、フィルタ対向面２３ｃａａが脱臭フィルタ部２３ａに対向するように配置されている。背面側放熱板２３ｃｂは、フィルタ対向面２３ｃｃａが脱臭フィルタ部２３ａに対向するように配置されている。なお、ＰＴＣヒータ２３ｂと、前面側放熱板２３ｃａ及び背面側放熱板２３ｃｂとの間には、熱伝導性を高めるために熱伝導グリース等が塗布されてもよい。
【００４２】
図１０は、実施例におけるフィルタ再生部２３ｆの前面側ケース部材２３ｅａを内側から示す斜視図である。言い換えれば、図１０は、ケース２３ｅの内部空間の前面側（前面側内部空間）を示す斜視図である。図１１は、実施例におけるフィルタ再生部２３ｆの背面側ケース部材を内側から示す斜視図である。言い換えれば、図１１は、ケース２３ｅの内部空間の背面側（背面側内部空間）を示す斜視図である。図１２は、実施例における背面側ケース部材２３ｅｂの第１支持部及び第２支持部を説明するための側面図である。
【００４３】
説明の便宜上、背面側ケース部材２３ｅｂから先に説明する。背面側ケース部材２３ｅｂは、合成樹脂材によって形成されている。背面側ケース部材２３ｅｂの外形は、図９に示すように、背面側放熱板２３ｃｂの外形よりも一回り大きく形成されている。図１１に示すように、背面側ケース部材２３ｅｂの内側には、脱臭フィルタ部２３ａを加熱するための加熱空間としての加熱空間部２３ｅｄが形成されている。背面側ケース部材２３ｅｂは、有底の箱状に形成されており、背面側ケース部材２３ｅｂは、底部２３ｅｄａと、背面側ケース部材２３ｅｂの外周に沿って形成された外周壁としての第１側部２３ｅｄｂ、第２側部２３ｅｄｃ、第３側部２３ｅｄｄ及び第４側部２３ｅｄｅと、を有する。底部２３ｅｄａは、略三角形の板状に形成されている。第１側部２３ｅｄｂ、第２側部２３ｅｄｃ、第３側部２３ｅｄｄ及び第４側部２３ｅｄｅは、それぞれ、底部２３ｅｄａの外周部から立ち上がって形成されている。第１側部２３ｅｄｂは、底部２３ｅｄａの外周部における、脱臭フィルタ部２３ａの貫通孔２３ａｄ側に配置される部分に形成されている。第４側部２３ｅｄｅは、底部２３ｅｄａの外周部における、脱臭フィルタ部２３ａの外周側に配置される部分に形成されている。第２側部２３ｅｄｃと第３側部２３ｅｄｄは、底部２３ｅｄａの外周部のＹ方向の両側の部分に形成されている。
【００４４】
図１１に示すように、背面側ケース部材２３ｅｂの底部２３ｅｄａには、背面側放熱板２３ｃｂの外周に沿って内周壁２３ｐｂが形成されている。内周壁２３ｐｂは、第１側部２３ｅｄｂ、第２側部２３ｅｄｃ、第３側部２３ｅｄｄに対して所定の間隔をあけて形成されており、内周壁２３ｐｂの両端が第４側部２３ｅｄｅに連結されている。背面側ケース部材２３ｅｂの底部２３ｅｄａには、脱臭フィルタ部２３ａの貫通孔２３ａｄに挿通されて脱臭フィルタ部２３ａを回転可能に支持する軸部２３ｘａが形成されている。軸部２３ｘａは、結合部材としてのネジ２３ｔ等がねじ込まれる貫通孔２３ｘａａを有する。また、背面側ケース部材２３ｅｂの底部２３ｅｄａのＹ方向における両側には、前面側ケース部材２３ｅａと背面側ケース部材２３ｅｂとを一体に固定する結合部材としてのネジ２３ｔ等がねじ込まれる貫通孔２３ｘｂａを有するボス２３ｘｂがそれぞれ形成されている。
【００４５】
背面側ケース部材２３ｅｂの底部２３ｅｄａには、２つの第１支持部２３ｓ１が形成されている。第１支持部２３ｓ１は、背面側放熱板２３ｃｂの外周部２３ｃｂｈと、背面側放熱板２３ｃｂに重ねられるＰＴＣヒータ２３ｂ及び前面側放熱板２３ｃａの外周部２３ｃｂｈをそれぞれ支持する。また、背面側ケース部材２３ｅｂの底部２３ｅｄａには、背面側放熱板２３ｃｂの外周部２３ｃｂｈを支持する第２支持部２３ｓ２がそれぞれ形成されている。
【００４６】
第１支持部２３ｓ１は、背面側ケース部材２３ｅｂのＹ方向における両側にそれぞれ配置されており、ボス２３ｘｂの近傍、例えばボス２３ｘｂに隣接して配置されている。第１支持部２３ｓ１は、第１方向として背面側放熱板２３ｃｂ（前面側放熱板２３ｃａ）のＺＹ面におけるＺ方向に対する背面側放熱板２３ｃｂ、前面側放熱板２３ｃａ及びＰＴＣヒータ２３ｂの移動を規制する第１リブ２３ｓａと、第１方向と直交する第２方向として背面側放熱板２３ｃｂ（前面側放熱板２３ｃａ）のＺＹ面におけるＹ方向に対する背面側放熱板２３ｃｂ、前面側放熱板２３ｃａ及びＰＴＣヒータ２３ｂの移動を規制する第２リブ２３ｓｂと、を有する。
【００４７】
第１リブ２３ｓａは、背面側ケース部材２３ｅｂの底部２３ｅｄａから突出して形成されており、背面側放熱板２３ｃｂと背面側ケース部材２３ｅｂの内面との間に空間をあけた状態で背面側放熱板２３ｃｂの外周部２３ｃｂｈを支持する。第１リブ２３ｓａは、ボス２３ｘｂの外周面に連結されている。第１リブ２３ｓａは、背面側放熱板２３ｃｂをＸ方向に対して支持する支持面２３ｓａａと、背面側放熱板２３ｃｂ、前面側放熱板２３ｃａ及びＰＴＣヒータ２３ｂのＺ方向の移動を規制する規制面２３ｓａｂと、を有する。図１２に示すように、支持面２３ｓａａは、背面側ケース部材２３ｅｂの底部２３ｅｄａの内面から高さＭの位置に設けられる。高さＭは、Ｘ軸上に沿う長さＭを指す。規制面２３ｓａｂは、支持面２３ｓａａを基準として高さＬを有する。高さＬは、Ｘ軸上に沿う長さＬを指す。第２リブ２３ｓｂは、背面側ケース部材２３ｅｂの底部２３ｅｄａから突出して、内周壁２３ｐｂと第２側部２３ｅｄｃ、または内周壁２３ｐｂと第３側部２３ｅｄｄとに跨って形成されており、内周壁２３ｐｂの機械的強度が補強されている。第２リブ２３ｓｂは、背面側放熱板２３ｃｂをＸ方向に対して支持する支持面２３ｓｂａと、背面側放熱板２３ｃｂ、前面側放熱板２３ｃａ及びＰＴＣヒータ２３ｂのＹ方向の移動を規制する規制面２３ｓｂｂと、を有する。支持面２３ｓｂａは、背面側ケース部材２３ｅｂの底部２３ｅｄａの内面から高さＭの位置に設けられる。高さＭは、Ｘ軸上に沿う長さＭを指す。規制面２３ｓｂｂは、支持面２３ｓｂａを基準として高さＬを有する。高さＬは、Ｘ軸上に沿う長さＬを指す。
【００４８】
図１２に示すように、第１リブ２３ｓａにおける規制面２３ｓａｂのＸ方向の高さ（背面側放熱板２３ｃｂ及び前面側放熱板２３ｃａの厚み方向に対する高さ）をＬ、背面側放熱板２３ｃｂのＸ方向の厚みをＰ１、前面側放熱板２３ｃａのＸ方向の厚みをＰ２、ＰＴＣヒータ２３ｂのＸ方向の高さ（背面側放熱板２３ｃｂ及び前面側放熱板２３ｃａの厚み方向に対する高さ）をＨとしたとき、第１リブ２３ｓａの高さＬは、
Ｌ＞Ｐ１＋Ｈ      ・・・式１
を満たす。図示しないが、第１リブ２３ｓａの高さＬと同様に、第２リブ２３ｓｂの高さについても式１を満たしている。これにより、第１リブ２３ｓａ及び第２リブ２３ｓｂは、背面側放熱板２３ｃｂ、前面側放熱板２３ｃａ及びＰＴＣヒータ２３ｂの位置をそれぞれ規制することが可能になる。なお、本実施例では規制面２３ｓａｂが背面側ケース部材２３ｅｂの第１リブ２３ｓａ及び第２リブ２３ｓｂに設けられたが、前面側ケース部材２３ｅａに設けられてもよい。この場合には第１リブ２３ｓａの高さＬはＬ＞Ｐ２＋Ｈを満たせばよい。
【００４９】
第２支持部２３ｓ２は、背面側ケース部材２３ｅｂのＺ方向における一端側（脱臭フィルタ部２３ａの貫通孔２３ａｄ側）に、軸部２３ｘａに隣接して配置されている。第２支持部２３ｓ２は、背面側放熱板２３ｃｂ（前面側放熱板２３ｃａ）のＺＹ面におけるＺ方向に対する背面側放熱板２３ｃｂの移動を規制する第３リブ２３ｓｃと、背面側放熱板２３ｃｂ（前面側放熱板２３ｃａ）のＺＹ面におけるＹ方向に対する背面側放熱板２３ｃｂの移動を規制する第４リブ２３ｓｄと、を有する。
【００５０】
第３リブ２３ｓｃは、背面側放熱板２３ｃｂをＸ方向に対して支持する支持面２３ｓｃａと、Ｚ方向に対する背面側放熱板２３ｃｂの移動を規制する規制面２３ｓｃｂと、を有する。第４リブ２３ｓｄは、背面側放熱板２３ｃｂをＸ方向に対して支持する支持面２３ｓｄａと、Ｙ方向に対する背面側放熱板２３ｃｂの移動を規制する規制面２３ｓｄｂと、を有する。第３リブ２３ｓｃ及び第４リブ２３ｓｄは、背面側ケース部材２３ｅｂの底部２３ｅｄａから突出して形成されており、背面側ケース部材２３ｅｂの底部２３ｅｄａから突出して形成されており、背面側放熱板２３ｃｂと背面側ケース部材２３ｅｂの内面との間に空間をあけた状態で背面側放熱板２３ｃｂの外周部２３ｃｂｈを支持する。第３リブ２３ｓｃ及び第４リブ２３ｓｄは、内周壁２３ｐｂと第１側部２３ｅｄｂとに跨って形成されており、内周壁２３ｐｂの機械的強度が補強されている。
【００５１】
図９及び図１０に示すように、前面側ケース部材２３ｅａは、背面側ケース部材２３ｅｂと同様に、合成樹脂材によって形成されている。前面側ケース部材２３ｅａの外形は、前面側放熱板２３ｃａの外形よりも一回り大きく形成されている。前面側ケース部材２３ｅａの内側には、脱臭フィルタ部２３ａを加熱するための加熱空間としての加熱空間部２３ｅｃが形成されている。前面側ケース部材２３ｅａは有底の箱状に形成されており、前面側ケース部材２３ｅａは、底部２３ｅｃａと、前面側ケース部材２３ｅａの外周に沿って形成された外周壁としての第１側部２３ｅｃｂ、第２側部２３ｅｃｃ、第３側部２３ｅｃｄ及び第４側部２３ｅｃｅと、を有する。底部２３ｅｃａは、略三角形の板状に形成されている。第１側部２３ｅｃｂ、第２側部２３ｅｃｃ、第３側部２３ｅｃｄ及び第４側部２３ｅｃｅは、それぞれ、底部２３ｅｃａの外周部から立ち上がって形成されている。第１側部２３ｅｃｂは、底部２３ｅｃａの外周部における、脱臭フィルタ部２３ａの貫通孔２３ａｄ側に配置される部分に形成されている。第４側部２３ｅｃｅは、底部２３ｅｃａの外周部における、脱臭フィルタ部２３ａの外周側に配置される部分に形成されている。第２側部２３ｅｃｃと第３側部２３ｅｃｄは、底部２３ｅｃａの外周部のＹ方向の両側の部分に形成されている。底部２３ｅｃａと第１側部２３ｅｃｂ、第２側部２３ｅｃｃ、第３側部２３ｅｃｄ及び第４側部２３ｅｃｅとで囲まれた空間が前面側内部空間となる。
【００５２】
図１０に示すように、前面側ケース部材２３ｅａの底部２３ｅｃａには、前面側放熱板２３ｃａの外周に沿って内周壁２３ｐａが形成されている。内周壁２３ｐａは、第１側部２３ｅｃｂ、第２側部２３ｅｃｃ、第３側部２３ｅｃｄに対して所定の間隔をあけて形成されており、内周壁２３ｐａの両端が第４側部２３ｅｃｅに連結されている。前面側ケース部材２３ｅａの底部２３ｅｃａには、脱臭フィルタ部２３ａの貫通孔２３ａｄに対向する位置に軸座部２３ｘｃが形成されている。軸座部２３ｘｃには、背面側ケース部材２３ｅｂの軸部２３ｘａの先端が突き当てられる。軸座部２３ｘｃはネジ２３ｔがねじ込まれる貫通孔２３ｘｃａを有する。また、前面側ケース部材２３ｅａの底部２３ｅｃａのＹ方向における両側で、かつ、第４側部２３ｅｃｅと隣接する位置には、背面側ケース部材２３ｅｂのボス２３ｘｂの先端が突き当てられるボス座部２３ｘｄが形成されている。ボス座部２３ｘｄはネジ２３ｔがねじ込まれる貫通孔２３ｘｄａを有する。
【００５３】
また、前面側ケース部材２３ｅａの底部２３ｅｃａには、ボス座部２３ｘｄと隣接するように、第１リブ２３ｓｅ及び第２リブ２３ｓｆが形成されている。第１リブ２３ｓｅ及び第２リブ２３ｓｆは、背面側ケース部材２３ｅｂの第１支持部２３ｓ１の第１リブ２３ｓａ及び第２リブ２３ｓｂがそれぞれ突き当てられる。また、前面側ケース部材２３ｅａの第１リブ２３ｓｅ及び第２リブ２３ｓｆは、前面側放熱板２３ｃａに接することで、前面側放熱板２３ｃａ、ＰＴＣヒータ２３ｂ及び背面側放熱板２３ｃｂのＸ方向に対する移動を規制する。第１リブ２３ｓｅ及び第２リブ２３ｓｆは、前面側ケース部材２３ｅａの底部２３ｅｃａから突出して形成されており、前面側放熱板２３ｃａと前面側ケース部材２３ｅａの内面との間に空間をあけた状態で前面側放熱板２３ｃａの外周部２３ｃａｈを支持する。
【００５４】
前面側ケース部材２３ｅａの底部２３ｅｃａには、前面側放熱板２３ｃａの外周部２３ｃａｈを支持する支持部２３ｓ３が形成されている。支持部２３ｓ３は、前面側ケース部材２３ｅａのＺ方向における一端側（脱臭フィルタ部２３ａの貫通孔２３ａｄ側）に、軸座部２３ｘｃに隣接して配置されている。支持部２３ｓ３は、前面側放熱板２３ｃａのＺＹ面内方向におけるＺ方向に対する前面側放熱板２３ｃａの移動を規制する第３リブ２３ｓｇと、前面側放熱板２３ｃａのＺＹ面内方向におけるＹ方向に対する前面側放熱板２３ｃａの移動を規制する第４リブ２３ｓｈと、を有する。
【００５５】
第３リブ２３ｓｇは、前面側放熱板２３ｃａをＸ方向に対して支持する支持面２３ｓｇａと、Ｚ方向に対する前面側放熱板２３ｃａの移動を規制する規制面２３ｓｇｂと、を有する。第４リブ２３ｓｈは、前面側放熱板２３ｃａをＸ方向に対して支持する支持面２３ｓｈａと、Ｙ方向に対する前面側放熱板２３ｃａの移動を規制する規制面２３ｓｈｂと、を有する。第３リブ２３ｓｇ及び第４リブ２３ｓｈは、前面側ケース部材２３ｅａの底部２３ｅｃａから突出して形成されており、前面側放熱板２３ｃａと前面側ケース部材２３ｅａの内面との間に空間をあけた状態で前面側放熱板２３ｃａの外周部２３ｃａｈを支持する。第３リブ２３ｓｇ及び第４リブ２３ｓｈは、内周壁２３ｐａと第１側部２３ｅｃｂとに跨って形成されており、内周壁２３ｐａの機械的強度が補強されている。
【００５６】
前面側ケース部材２３ｅａと背面側ケース部材２３ｅｂとが組み合わされることで、ＰＴＣヒータ２３ｂ、前面側放熱板２３ｃａ及び背面側放熱板２３ｃｂ、脱臭フィルタ部２３ａの一部が内部に収容されるケース２３ｅが構成される。脱臭フィルタ部２３ａの貫通孔２３ａｄには、背面側ケース部材２３ｅｂの軸部２３ｘａが挿通されることで、脱臭フィルタ部２３ａが軸部２３ｘａに回転可能に支持されている。また、図８及び図９に示すように、軸部２３ｘａは、円筒状のシャフト部材２３ｘｅ内へ通されており、脱臭フィルタ部２３ａの貫通孔２３ａｄに通されたシャフト部材２３ｘｅを介して、脱臭フィルタ部２３ａを支持している。
【００５７】
ここで、本実施例では、第１支持部２３ｓ１とリブ（第１リブ２３ｓｅや第２リブ２３ｓｆ）はＸ方向において対向するように配置されている。このため、リブ（第１リブ２３ｓｅや第２リブ２３ｓｆ）の高さが高すぎる場合、第１支持部２３ｓ１と接触する可能性がある。実施例の脱臭ユニット２３は、Ｐ１＋Ｐ２＋Ｈ≧Ｌを満たしている。これにより、背面側ケース部材２３ｅｂと前面側ケース部材２３ｅａとを結合する際に、第１支持部２３ｓ１とリブ（第１リブ２３ｓｅや第２リブ２３ｓｆ）が接触することを防ぐことができる。ただし、必ずしも第１リブ２３ｓａの高さＬはＰ１＋Ｐ２＋Ｈ≧Ｌを満たす必要はない。例えば、第１支持部２３ｓ１とリブ（第１リブ２３ｓｅや第２リブ２３ｓｆ）がＸ方向に対向しないように配置されれば、Ｌ＞Ｐ１＋Ｐ２＋Ｈであってもよい。これは、第１支持部２３ｓ１とリブ（第１リブ２３ｓｅや第２リブ２３ｓｆ）がＸ方向において対向しないように配置されれば、リブ（第１リブ２３ｓｅや第２リブ２３ｓｆ）が第１支持部２３ｓ１と接触しないからである。
【００５８】
［フィルタ再生部の組立工程］
図１３は、実施例における背面側ケース部材２３ｅｂに背面側放熱板２３ｃｂを取り付けた状態を示す斜視図である。図１４は、実施例における背面側ケース部材２３ｅｂに背面側放熱板２３ｃｂ及びＰＴＣヒータ２３ｂを取り付けた状態を示す斜視図である。以上のように構成された脱臭ユニット２３のフィルタ再生部２３ｆの組立工程について説明する。
【００５９】
フィルタ再生部２３ｆの組立工程では、図１３及び図１４に示すように、背面側ケース部材２３ｅｂ側へ、背面側放熱板２３ｃｂ、ＰＴＣヒータ２３ｂが組み付けられ、脱臭フィルタ部２３ａ及び前面側放熱板２３ｃａが組み付けられる。このとき、背面側放熱板２３ｃｂ、ＰＴＣヒータ２３ｂ、脱臭フィルタ部２３ａ、前面側放熱板２３ｃａの順に組み付けられる。脱臭フィルタ部２３ａの貫通孔２３ａｄには背面側ケース部材２３ｅｂの軸部２３ｘａが通される。背面側ケース部材２３ｅｂには、前面側ケース部材２３ｅａが組み合わされる。背面側ケース部材２３ｅｂに前面側ケース部材２３ｅａが組み合わされた後、軸部２３ｘａと軸座部２３ｘｃ、及びボス２３ｘｂとボス座部２３ｘｄにそれぞれネジ２３ｔがねじ込まれることで、背面側ケース部材２３ｅｂと前面側ケース部材２３ｅａとが結合される。
【００６０】
［背面側ケース部材の第１支持部及び第２支持部の作用］
フィルタ再生部２３ｆの組立工程では、背面側ケース部材２３ｅｂの第１支持部２３ｓ１及び第２支持部２３ｓ２に、背面側放熱板２３ｃｂの外周部２３ｃｂｈが載置されることで、背面側放熱板２３ｃｂの面内方向（ＹＺ平面上）における位置、背面側放熱板２３ｃｂの厚み方向（Ｘ方向）における位置が容易に位置決められる。次に、背面側ケース部材２３ｅｂの第１支持部２３ｓ１及び第２支持部２３ｓ２に支持された背面側放熱板２３ｃｂの上にＰＴＣヒータ２３ｂが載置されている。ＰＴＣヒータ２３ｂは、位置決め突起２３ｃｆと第１支持部２３ｓ１の第１リブ２３ｓａの規制面２３ｓａｂとＰＴＣヒータ２３ｂの外周面（Ｚ方向の側面（脱臭フィルタ部２３ａの内周側側面及び外周側側面））とがそれぞれ接するように載置される。これにより、ＰＴＣヒータ２３ｂのＹＺ平面上における位置が容易に位置決めされる。
【００６１】
続いて、背面側ケース部材２３ｅｂに支持された背面側放熱板２３ｃｂ上のＰＴＣヒータ２３ｂを、背面側放熱板２３ｃｂと共に挟むように、第１支持部２３ｓ１に前面側放熱板２３ｃａが載置されることで、前面側放熱板２３ｃａの面内方向（ＹＺ平面上）における位置が容易に位置決めされる。このように背面側ケース部材２３ｅｂの第１支持部２３ｓ１によって、背面側放熱板２３ｃｂ、ＰＴＣヒータ２３ｂ及び前面側放熱板２３ｃａがそれぞれ容易に位置決めされる。
【００６２】
最後に、背面側ケース部材２３ｅｂに前面側ケース部材２３ｅａが組み合わされて、背面側ケース部材２３ｅｂと前面側ケース部材２３ｅａとが結合部により結合される。結合部は、例えば、軸部２３ｘａ、ボス２３ｘｂ、軸座部２３ｘｃ、ボス座部２３ｘｄ、及び結合部材としてのネジ２３ｔにより構成される。例えば、背面側ケース部材２３ｅｂと前面側ケース部材２３ｅａは、軸部２３ｘａと軸座部２３ｘｃ、及びボス２３ｘｂとボス座部２３ｘｄにそれぞれ通されたネジ２３ｔによって結合される。背面側ケース部材２３ｅｂと前面側ケース部材２３ｅａとが結合されたとき、ネジ２３ｔの締め付けによる結合力が、背面側放熱板２３ｃｂ及び前面側放熱板の厚み方向（Ｘ方向）に対する押圧力として作用する。
【００６３】
この押圧力は、背面側ケース部材２３ｅｂの第１支持部２３ｓ１（支持面２３ｓａａ、支持面２３ｓｂａ）及び第２支持部２３ｓ２（支持面２３ｓｄａ）を介して背面側放熱板２３ｃｂに作用する。また、この押圧力は、前面側ケース部材２３ｅａの第１リブ２３ｓｅ、第２リブ２３ｓｆ及び第３支持部２３ｓ３（支持面２３ｓｈａ）を介して前面側放熱板２３ｃａに作用する。本実施例では、第１支持部２３ｓ１、第２支持部２３ｓ２、第３支持部２３ｓ３が結合部の近傍に配置されているため、結合力が押圧力として作用しやすくなる。この押圧力によって、背面側放熱板２３ｃｂと前面側放熱板２３ｃａはＰＴＣヒータ２３ｂに押圧されるので、背面側放熱板２３ｃｂと前面側放熱板２３ｃａとの間に挟まれたＰＴＣヒータ２３ｂと、背面側放熱板２３ｃｂのフィルタ対向面２３ｃｃａ及び前面側放熱板２３ｃａのフィルタ対向面２３ｃａａとの間に隙間が生じることが抑えられる。したがって、背面側放熱板２３ｃｂとＰＴＣヒータ２３ｂとの接触状態、前面側放熱板２３ｃａとＰＴＣヒータ２３ｂとの接触状態が適正に確保される。なお、第１支持部２３ｓ１、第２支持部２３ｓ２、第３支持部２３ｓ３は、必ずしも結合部の近傍に配置されていなくてもよい。
【００６４】
本実施例では、背面側ケース部材２３ｅｂの第１支持部２３ｓ１とリブ（第１リブ２３ｓｅ及び第２リブ２３ｓｆ）の間にＰＴＣヒータ２３ｂを配置している。これにより、背面側放熱板２３ｃｂとＰＴＣヒータ２３ｂとの接触状態と、前面側放熱板２３ｃａとＰＴＣヒータ２３ｂとの接触状態がさらに適正に確保される。なお、ＰＴＣヒータ２３ｂは、必ずしも第１支持部２３ｓ１とリブ（第１リブ２３ｓｅ及び第２リブ２３ｓｆ）の間に挟まれていなくてもよい。
【００６５】
以上のように組み立てられた脱臭ユニット２３は、図６に示すように、フィルタ再生部２３ｆが保持部２３ｇの再生部収納部２３ｇｅ内に収容されている。また、脱臭フィルタ部２３ａは、外周部フィルタカバー２３ａｃの歯車部３４が駆動歯車２３ｊに噛み合わされており、駆動部２３ｈによって回転される。さらに、脱臭フィルタ部２３ａは、外周部フィルタカバー２３ａｃの歯車部３４が回転検出用歯車２３ｋに噛み合わされており、回転検出部２３ｒによって回転が検出される。
【００６６】
［空気清浄機の動作］
空気清浄機１は、使用者が操作部１５を操作することで、運転を開始する。空気清浄機１は、運転を開始したとき、送風機２５が駆動されると共に、集塵ユニット２２の第１電気集塵機２２ａ及び第２電気集塵機２２ｂが通電され、加湿ユニット２４の加湿フィルタ２４ａが回転を開始する。空気清浄機１は、送風機２５が駆動されることで、上面吸込口１３ａ、右側面吸込口１３ｂ、左側面吸込口１３ｃ及び下側吸込口１３ｄから、本体筐体１１の内部へ空気が吸い込まれる。
【００６７】
本体筐体１１の内部に吸い込まれた空気は、上面吸込口１３ａ、右側面吸込口１３ｂ、左側面吸込口１３ｃ及び下側吸込口１３ｄから、上面吹出口１４ａ、右側面吹出口１４ｂ及び左側面吹出口１４ｃに向かって通風路１０を流れる。通風路１０を流れる空気は、まず、プレフィルタ２１によって塵埃が捕集される。プレフィルタ２１によって塵埃が捕集された空気は、プレフィルタ２１で捕集されなかった細かな塵埃や花粉等が、集塵ユニット２２によって捕集される。集塵ユニット２２によって塵埃が捕集された空気は、一部が脱臭ユニット２３に供給され、残りが加湿ユニット２４に供給される。
【００６８】
脱臭ユニット２３に供給された空気は、保持部２３ｇの開口部２３ｇｄを介して、脱臭フィルタ２３ａａにおけるフィルタ再生部２３ｆによって覆われていない通風面に供給される。脱臭フィルタ２３ａａの通風面に供給された空気は、脱臭フィルタ２３ａａを通過することにより、臭気成分が除去され、脱臭される。このとき、脱臭ユニット２３の脱臭フィルタ２３ａａは、脱臭ユニット２３に供給された空気が、プレフィルタ２１と集塵ユニット２２とにより塵埃や花粉等があらかじめ除去されていることにより、塵埃や花粉等によって目詰まりすることが防止される。
【００６９】
脱臭ユニット２３により脱臭された空気は、一部が加湿ユニット２４に供給され、残りが送風機２５に供給される。加湿ユニット２４に供給された空気は、加湿ユニット２４により加湿される。加湿ユニット２４によって加湿された空気は、送風機２５に供給される。送風機２５に供給された空気は、上面吹出口１４ａ、右側面吹出口１４ｂ及び左側面吹出口１４ｃから、空気清浄機１の外部へ吹き出される。
【００７０】
空気清浄機１は、運転中に、ＰＴＣヒータ２３ｂに継続して通電を行うと共に、駆動部２３ｈを駆動させることで、脱臭フィルタ部２３ａを所定時間毎に所定の回転角度を回転させる。所定時間は、脱臭フィルタ部２３ａの脱臭能力を再生するために必要な処理時間であり、例えば、２時間が例示される。所定の回転角度としては、３０度が例示される。空気清浄機１は、脱臭フィルタ部２３ａを回転させることにより、脱臭フィルタ２３ａａの周方向におけるフィルタ再生部２３ｆで覆われる部分の脱臭能力を再生する。すなわち、空気清浄機１は、脱臭フィルタ２３ａａのフィルタ再生部２３ｆで覆われる位置の脱臭能力の再生を行いつつ、脱臭フィルタ２３ａａのフィルタ再生部２３ｆで覆われていない部分を通過する空気を脱臭する。
【００７１】
上述のように実施例の脱臭ユニット２３が有するケース２３ｅには、前面側放熱板２３ｃａ及び背面側放熱板２３ｃｂを支持する第１支持部２３ｓ１が形成されている。これにより、ＰＴＣヒータ２３ｂに対して前面側放熱板２３ｃａ及び背面側放熱板２３ｃｂを適正な位置に支持することが可能になり、ＰＴＣヒータ２３ｂと前面側放熱板２３ｃａとの接触状態、ＰＴＣヒータ２３ｂと背面側放熱板２３ｃｂとの接触状態を適正に確保することが可能になる。したがって、ＰＴＣヒータ２３ｂによって前面側放熱板２３ｃａ及び背面側放熱板２３ｃｂを適正に加熱し、前面側放熱板２３ｃａ及び背面側放熱板２３ｃｂによって脱臭フィルタ２３ａａを効率的に加熱することができる。その結果、脱臭フィルタ２３ａａの再生動作の信頼性を高めることができる。また、実施例の脱臭ユニット２３によれば、第１支持部２３ｓ１を有することにより、前面側放熱板２３ｃａ及び背面側放熱板２３ｃｄを支持するための別部材をケース２３ｅに組み込む必要がなく、ケース２３ｅの構造の簡素化を図り、フィルタ再生部２３ｆの生産性を高めることができる。
【００７２】
また、実施例の脱臭ユニット２３における第１支持部２３ｓ１は、背面側ケース部材２３ｅｂと前面側ケース部材２３ｅａとを結合するネジ２３ｔが通されるボス２３ｘｂの近傍に形成されている。これにより、締結ネジ２３ｔの締め付けによる結合力を、前面側放熱板２３ｃａ及び背面側放熱板２３ｃｂをＰＴＣヒータ２３ｂへ押圧させる押圧力として利用することができる。このため、ＰＴＣヒータ２３ｂと前面側放熱板２３ｃａとの接触状態、ＰＴＣヒータ２３ｂと背面側放熱板２３ｃｂとの接触状態を更に適正に確保することができる。
【００７３】
また、実施例の脱臭ユニット２３における第１支持部２３ｓ１は、第１リブ２３ｓａ（第２リブ２３ｓｂ）における規制面２３ｓａｂのＸ方向の高さをＬ、背面側放熱板２３ｃｂのＸ方向の厚みをＰ１、前面側放熱板２３ｃａのＸ方向の厚みをＰ２、ＰＴＣヒータ２３ｂのＸ方向の高さをＨとしたとき、第１リブ２３ｓａの高さＬは、Ｌ＞Ｐ１＋Ｈを満たす。これにより、第１リブ２３ｓａによって、背面側ケース部材２３ｅｂに対して背面側放熱板２３ｃｂ、ＰＴＣヒータ２３ｂ、前面側放熱板２３ｃａを積み重ねてそれぞれ容易に位置決めできるので、フィルタ再生部２３ｆの組み立て性を向上することができる。
【００７４】
なお、本実施例では、規制面２３ｓａｂが背面側ケース部材２３ｅｂのリブ（第１リブ２３ｓｅや第２リブ２３ｓｆ）に設けられたが、前面側ケース部材２３ｅａに設けられてもよい。この場合には第１リブ２３ｓａの高さＬはＬ＞Ｐ２＋Ｈを満たせばよい。
【００７５】
また、実施例の脱臭ユニット２３は、Ｐ１＋Ｐ２＋Ｈ≧Ｌを満たす。これにより、背面側ケース部材２３ｅｂと前面側ケース部材２３ｅａとを結合する際に、第１支持部２３ｓ１とリブ（第１リブ２３ｓｅや第２リブ２３ｓｆ）が接触することを防ぐことができる。ただし、必ずしも第１リブ２３ｓａの高さＬはＰ１＋Ｐ２＋Ｈ≧Ｌを満たす必要はない。Ｌ＞Ｐ１＋Ｐ２＋Ｈであっても、例えば、リブ（第１リブ２３ｓｅや第２リブ２３ｓｆ）が第１支持部２３ｓ１と接触しない構成であればよい。
【００７６】
また、実施例の脱臭ユニット２３における第１支持部２３ｓ１は、背面側放熱板２３ｃｂの面内方向（ＹＺ平面上）におけるＺ方向に対する背面側放熱板２３ｃｂの移動を規制する第１リブ２３ｓａと、背面側放熱板２３ｃｂの面内方向におけるＺ方向と直交するＹ方向に対する背面側放熱板２３ｃｂの移動を規制する第２リブ２３ｓｂと、を有する。これにより、背面側放熱板２３ｃｂの面内方向における背面側ケース部材２３ｅｂの所定の位置に、背面側放熱板２３ｃｂを容易に位置決めすることが可能になり、背面側放熱板２３ｃｂの位置決め精度を高めることできる。したがって、ケース２３ｅの変形に伴うフィルタ再生部２３ｆの組み付け状態のバラツキや、フィルタ再生部２３ｆの組立後に加わる衝撃等によって、前面側放熱板２３ｃａとＰＴＣヒータ２３ｂとの間、背面側放熱板２３ｃｂとＰＴＣヒータ２３ｂとの間に隙間が生じることを抑えることができる。
【００７７】
また、実施例の脱臭ユニット２３における背面側ケース部材２３ｅｂは、第１支持部２３ｓ１の第１リブ２３ｓａが、背面側放熱板２３ｃｂの厚み方向において、背面側放熱板２３ｃｂと背面側ケース部材２３ｅｂの内面との間に空間をあけた状態で背面側放熱板２３ｃｂを支持する支持面を有する。これにより、背面側放熱板２３ｃｂと背面側ケース部材２３ｅｂの内面との間の空間が断熱空間として作用するので、背面側放熱板２３ｃｂから背面側ケース部材２３ｅｂへ逃げる熱を抑えることができる。このため、背面側放熱板２３ｃｂによる脱臭フィルタ部２３ａの加熱効率を高めることができる。
【００７８】
また、実施例の脱臭ユニット２３における背面側ケース部材２３ｅｂには、ネジ２３ｔが通される貫通孔２３ｘｂａを有するボス２３ｘｂが形成され、第１リブ２３ｓａがボス２３ｘｂに連結されている。これにより、ネジ２３ｔの締め付けによる結合力を、背面側放熱板２３ｃｂ及び前面側放熱板２３ｃａをＰＴＣヒータ２３ｂに押圧する押圧力として効果的に利用できる。したがって、ＰＴＣヒータ２３ｂと前面側放熱板２３ｃａとの接触状態、ＰＴＣヒータ２３ｂと背面側放熱板２３ｃｂとの接触状態を更に適正に確保することができる。なお、本実施例では結合部材としてネジを例示したが、これに限定されない。結合部材としては、ケース部材同士を結合することができればよく、例えばリベットのような部材が用いられてもよい。また、結合部材は、ケース部材と別体である必要もない。結合部材は、例えば、ケース部材と一体的に設けられた爪形状のものでもよい。
【符号の説明】
【００７９】
１  空気清浄機
２３  脱臭ユニット（吸着ユニット）
２３ａ  脱臭フィルタ部
２３ａａ  脱臭フィルタ（フィルタ）
２３ｂ  ＰＴＣヒータ
２３ｃ  放熱板
２３ｃａ  前面側放熱板（第２板）
２３ｃａｈ  外周部
２３ｃｂ  背面側放熱板（第１板）
２３ｃｂｈ  外周部
２３ｆ  フィルタ再生部
２３ｅ  ケース
２３ｅａ  前面側ケース部材（第１ケース部材）
２３ｅｂ  背面側ケース部材（第２ケース部材）
２３ｅｃ、２３ｅｄ  加熱空間部（加熱空間）
２３ｈ  駆動部
２３ｓ１  第１支持部（支持部）
２３ｓ２  第２支持部（支持部）
２３ｓａ  第１リブ
２３ｓａａ  支持面
２３ｓａｂ  規制面
２３ｓｂ  第２リブ
２３ｓｂａ  支持面
２３ｓｂｂ  規制面
２３ｓｃ  第３リブ
２３ｓｄ  第４リブ
２３ｔ  ネジ
２３ｘａ  軸部
２３ｘａａ  貫通孔
２３ｘｂ  ボス
２３ｘｂａ  貫通孔
２３ｘｃ  軸座部
２３ｘｄ  ボス座部
【図１】
2018140370.tif 000003
【図２】
2018140370.tif 000004
【図３】
2018140370.tif 000005
【図４】
2018140370.tif 000006
【図５】
2018140370.tif 000007
【図６】
2018140370.tif 000008
【図７】
2018140370.tif 000009
【図８】
2018140370.tif 000010
【図９】
2018140370.tif 000011
【図１０】
2018140370.tif 000012
【図１１】
2018140370.tif 000013
【図１２】
2018140370.tif 000014
【図１３】
2018140370.tif 000015
【図１４】
2018140370.tif 000016